(57)【特許請求の範囲】
【請求項１】
印刷機の分配ローラを湿らすのに使用される湿し器であって、該分配ローラに隣接する中空の多孔ローラと、湿し用溶液源と、該湿し用溶液源を通るようにして多孔ローラを回転させる回転手段と、湿し用溶液を該多孔ローラから該分配ローラ上へ吹き飛ばすための空気源と、該多孔ローラの一つの端部に設置されたカムと、該カムと係合するばね付勢プランジャと、該多孔ローラの反対側の端部に配置されたばねとを有し、
該ばねは、該ばね付勢プランジャの方向に該多孔ローラを押圧し、それにより、該多孔ローラが回転すると該多孔ローラを空気源に対して横方向に振動させる、湿し器。
【請求項２】
前記多孔ローラが、５０％超の孔面積を有している請求項１の湿し器。
【請求項３】
前記回転手段が、前記分配ローラに与えられる湿し用溶液の量を変化させるべく、可変速度モータによって駆動される請求項１の湿し器。
【請求項４】
前記空気源は軸方向チューブを含み、該軸方向チューブ上に前記多孔ローラが装着されている、請求項１の湿し器。
【請求項５】
前記空気源が、前記軸方向チューブ上に偏心した状態で装着されている円筒状の空気チューブを備えている請求項４の湿し器。
【請求項６】
前記軸方向チューブが、前記円筒状の空気チューブ内において、空気孔を設けられている請求項５の湿し器。
【請求項７】
前記円筒状の空気チューブは、前記多孔ローラに近接した位置に、該円筒状の空気チューブの長さに渡る１列の空気孔が設けられている請求項５の湿し器。
【請求項８】
前記円筒状の空気チューブは、前記多孔ローラに近接した位置に、該円筒状の空気チューブの長さに渡る１列の空気孔が設けられている請求項６の湿し器。
【発明の詳細な説明】
【０００１】
【発明の属する技術分野】
本発明は、平版型の印刷機のような、印刷機に関し、特に、そのような印刷機の分配ローラを湿らせる手段に関する。
【０００２】
【従来の技術】
従来技術は、湿し用溶液を印刷機の分配ローラ上へ付着させる種々のシステムを開示している。
【０００３】
Ｓｔｒａｗｎへの米国特許第１,４３８,４０８号は、平版印刷機用の湿分供給装置を開示している。Ｓｔｒａｗｎの主要な湿しローラは、吸収剤で覆われている多孔ドラムである。水が、湿らされるべき表面に移動させられるよう、孔を通してドラムの内部へ、そして、吸収剤内へ分散させられる。Ｓｔｒａｗｎは、ファウンテン溶液を分配ローラへ移動させるのに空気を使用しておらず、湿しローラは、振動せず、しかも、それは、非接触湿しシステムではない。
【０００４】
Ｈａｕｓｅｒへの米国特許第２,６２２,５２０号においては、連続的に湿らされている篩、次いで、印刷板を湿らすためのスロットを通して、圧縮空気が、吹き付けられる。運転状況は、回転的ではなく、このため、連続的ではない。多量の過剰噴霧が、生成されよう。
【０００５】
Ｋｏｃｈへの米国特許第２,６８９,５２３号は、半径方向に穿孔されている、連続的に湿っている中空シリンダを利用しており、隣接しているローラを湿らすために、その中空シリンダを通して、圧縮空気が、吹き付けられる。望ましくない圧縮空気を避けるためのシールドが、シリンダとローラとの間に配置されている。シリンダは、振動しない。
【０００６】
Ｗａｒｏｚａｋへの米国特許第３,１４３,０６５号においては、湿しユニットは、ファウンテン溶液を通るようにして回転させられる円筒状のスクリーンを備えている。そのユニットは、更に、円筒状のマニホールドを備えており、この円筒状のマニホールドは、空気排出スロットであって、空気をスクリーン上へ吹き付けて溶液をスクリーンから印刷表面板上へ放出させるものを備えている。
【０００７】
Ｐａｕｌｓｏｎへの米国特許第３,９９０,３６５号は、オフセット印刷機のプレートシリンダを湿らす装置を開示している。可回転内側スリーブが、半径方向の空気通路を通して、空気を、隔置されている孔を備えている固定外側スリーブに向けて供給する。湿し用液体は、外側シリンダ上へ、重力によって供給される。可回転内側スリーブは、液体をディフューザに向けるべく、空気を外方に向かわせ、そのディフューザは、流れを噴霧とし、この噴霧が、湿しシリンダに向けられる。
【０００８】
Ｈａｒｒｉｓへの米国特許第４,０１０,６８６号は、平版オフセット回転印刷機用の湿し装置を記載しており、この湿し装置においては、湿し用液体リザーバと接触している円筒状のローラが、穿孔されている周壁を有している。固定内側流れチューブからの空気ジェットが、空気を、ローラの内壁に向けて孔を通過させ、ローラ上の液体を、別のローラに向かわせる。
【０００９】
Ｊｅｓｃｈｋｅ等への米国特許第４,１８８,８８２号は、オフセット印刷機用の湿しユニットを開示しており、この湿しユニットにおいては、スクリーンシリンダが、湿し用媒体を一のシリンダから受け取り、それを別のシリンダに渡す。スクリーンシリンダは、穿孔されているチューブであって、湿し用媒体を運ぶためのメッシュ織物ブランケットによって覆われているものである。スクリーンシリンダは、このスクリーンシリンダの回転軸に対して偏心した状態で配置されている吹出チューブ上に装着されていると共に、スクリーンシリンダの内壁に隣接するジェットオリフィスを設けられている。同軸の空気供給チューブが、空気を、一連のオリフィスを通して吹出チューブに供給する。
【００１０】
Ｗｉｎｇｏへの米国特許第５,０３６,７６１号は、水供給ローラを備えているプレス湿し装置を記載しており、その水供給ローラは、ステンレス鋼の円筒壁であって、水を水層形成ローラに向ける水供給孔のマトリックスを有しているものを具備しており、それらの水供給孔は、水層形成ローラとの接触によって開弁される逆止め玉弁を有している。
【００１１】
Ｂｏｅｌｋｉｎｓへの米国特許第５,７９７,９８３号は、接触潤滑装置に関しており、この接触潤滑装置は、液体が吸収剤に移行するのを可能にする多孔ローラを利用している。液体は、加圧下で、孔を通過させられる。吸収剤は、潤滑にされるべき表面と直接接触することになる。
【００１２】
Ｋｏｃｈへの独国特許第８８０,３０９号は、回転スクリーンシリンダを具備している湿しユニットを開示しており、その回転スクリーンシリンダは、液体供給タンク内へ沈み、液体をシリンダのスクリーンメッシュ内に吸収する。シリンダの内側からの圧縮空気が、液体を吹き飛ばし、それを隣のローラ上へ噴霧する。
【００１３】
【発明が解決しようとする課題】
本発明の目的は、平版型の印刷機用の非接触湿し手段を提供することである。
【００１４】
本発明の別の目的は、あらゆる平版印刷機に後日適合させられ得る手段を提供することである。
【００１５】
本発明の更に別の目的は、湿し手段から平版印刷機の分配ローラへの湿し用溶液の移動に、低圧空気を使用する手段を提供することである。
【００１６】
本発明の更なる目的は、湿し用溶液の、プレス分配ローラへの不変且つ一様な移動をもたらす手段を提供することである。
【００１７】
【課題を解決するための手段】
上記の及び他の目的、特徴及び利点は、本発明の教示によって達成され、本発明の一の実施形態は、平版型の印刷機の分配ローラを湿らすのに使用される湿し手段を具備しており、この湿し手段は、分配ローラに隣接する中空の多孔ローラと、湿し用溶液を収容している湿し用溶液源と、湿し用溶液源を通るようにして多孔ローラを駆動する可変速度動力機構と、湿し用溶液源から得られる湿し用溶液を分配ローラ上へ吹き飛ばすための空気源と、多孔ローラが回転させられている際に、多孔ローラを空気源に対して横方向に振動させる振動装置とを備えている。
【００１８】
本発明の他の目的及び利点は、以下の詳細な説明及び添付図面から明らかとなろう。
【００１９】
【発明の実施の形態】
図１を参照するに、この図１には、本発明の湿し手段１１であって、平版型の印刷機の分配ローラ１２を湿らすのに使用されるものが、示されている。湿し手段１１は、分配ローラ１２に隣接している多孔ローラ１３と、湿し用溶液１５を収容している湿し用溶液源１４と、湿し用溶液源１４を通るようにして多孔ローラ１３を駆動する可変速度動力機構１６と、湿し用溶液源１４から得られる湿し用溶液１５を分配ローラ１２上へ吹き飛ばすための空気源１７と、多孔ローラ１３が回転させられている際に、多孔ローラ１３を空気源１７に対して横方向に振動させる振動装置１８(図２)とを備えている。
【００２０】
図２に最も良く見られるように、ローラ１３は、０.０３０〜０.０６０インチの肉厚を有しているステンレス鋼で作られていると共に、ほぼ４.５インチの直径を有している。しかし、ローラ１３は、仕様に合わせるべく、３インチ以下にまで変化させられ得る。ローラ１３を貫通している孔２１は、通常、０.１５６インチの直径を有していると共に、０.１８７５インチ離隔させられており、ローラ１３の湾曲した表面にほぼ６３％の孔面積をもたらしている。ローラは、端板２２,２３で終端させられている。
【００２１】
湿し用溶液源１４(図２)は、単純に、ベース３２上に装着されているパン３１であって、湿し用溶液１５を収容しているものからなっている。一般的に、湿し用溶液１５は、アラビアゴムを含有している酸性溶液(通常、ＰＨ値は４.５)又は単純に水である。
【００２２】
動力機構１６は、シャフト４２を備えている可変速度モータ４１であって、ベース３２上に装着されているモーターブラケット４３に保持されているものを備えている。機構１６は、更に、調時ベルトプーリ４４、ブッシュ４５、シャフト４２上に装着されているモーター駆動プーリ４６、及び調時ベルト４７を備えている。多孔ローラ１３の回転の速度を変化させることにより、分配ローラ１２に与えられる湿し用溶液の量が、調整される。
【００２３】
ローラ１３の公称回転数は、印刷速度に応じて、１０〜２５ｒｐｍである。分数馬力モータが、ローラ１３を駆動するのに必要な全てである。何故ならば、プレスローラとの接触が、全く無いからである。
【００２４】
図１及び図２の両方を参照するに、空気源１７は、ステンレス鋼のチューブ５１を具備しており、このチューブ５１は、空気供給チューブ５１ａを介して空気供給源(図示せず)に通じていると共に、シャフトであって、このシャフト上に多孔ローラ１３が装着されているものとしても作用する。円筒状の空気チューブ５２が、やはりチューブ５１上に、偏心した状態で装着されていると共に、その長さの一の側から他の側への１列の空気孔５３を設けられている。空気チューブ５２は、通常、０.０６インチの肉厚を有していると共に、端板５４,５５を設けられている。孔５３は、０.００５〜０.０４０インチの直径を有し得ると共に、０.１５インチ離隔させられている。ステンレス鋼のチューブ５１は、空気チューブ５２内において空気供給孔５６を設けられていると共に、その遠位端部においてプラグ５７を設けられている。空気チューブ５２は、空気孔５３の列の所で、多孔ローラ１３に非常に近接(通常、０.１２５〜０.３７５インチ)して位置させられている。
【００２５】
ステンレス鋼のチューブ５１は、両端部において、ピローブロック５８,５９によってベース３２上に支持されている。
【００２６】
図２及び図３に最も良く見られるように、回転させられつつある多孔ローラ１３を、空気源１７に対して横方向に振動させる振動装置１８は、端板２３に取着されているカム６１と、ピローブロック５９に装着されているばねプランジャ６２であって、ローラ１３を横方向に移動させるべくカム６１と接触しているナイロンボール６３を備えているものと、チューブ５１の反対側の端部に装着されているばね６４であって、ローラ１３をばねプランジャ６２に向けて反対方向に押圧するためのものとを具備している。
【００２７】
カムは、１/４インチ〜３/８インチの高さの２つのローブを有すべく切削加工されている。多孔ローラ１３の回転毎に、それは、横方向に２回移動するであろう。
【００２８】
振動作用は、多孔ローラ１３を横方向に前後に移動させ、もって、ローラ１３における孔２１は、ローラ１３が回転するにつれて、空気チューブ５２における空気孔５３に対する位置を変えることが可能になる。公称振動距離は、０.２５０インチ〜０.３７５インチである。横方向運動の距離及び振動の振動数は、個々の各印刷の条件に合わせられ得る。
【００２９】
湿し手段１１は、非接触システムである。即ち、湿し装置とプレスローラとの間に、直接的な接触は、無い。更に、ローラ１３の振動は、液体を分配ローラ１２へ一様に移動させる能力を、それに与える。
【００３０】
湿し装置は、湿し用溶液１５を多孔ローラ１３から分配ローラ１２へ移動させるのに、低圧空気(空気孔５３で測定して２〜４ｐｓｉ)を使用する。
【００３１】
空気孔５３と多孔ローラ１３との近接配置と結び付けられている、多孔ローラ１３の振動作用は、湿し用溶液１５の、分配ローラ１２への非常に不変且つ一様な移動をもたらす。
【００３２】
多くの従来システムにおける問題は、過剰噴霧であり、この過剰噴霧は、印刷されたページに斑点が現れることを引き起し得る。噴霧と結び付いている別の問題は、ノズルが詰まることである。湿し用溶液１５を分配ローラ１２へ移動させるのに使用される、本発明における非常に低圧の空気は、過剰噴霧によって引き起される問題を排除し、そして、その非常に低圧の空気は、ローラ１３の６３％の孔面積及びその薄い金属厚さの故に可能となる。
【００３３】
部品の詳細及び構成における変更、追加及び省略が、本発明の範囲から逸脱することなく可能である、ということは、自明である。
【図面の簡単な説明】
【図１】本発明の湿し手段の、概略的に示されており且つ部分的に想像線で示されている正面図である。
【図２】部分的に切り欠かれており且つ部分的に想像線で示されている本発明の湿し手段の平面図である。
【図３】本発明の振動手段の、部分的に切り欠かれており且つ部分的に想像線で示されている側面図である。
【符号の説明】
１１  湿し手段
１２  分配ローラ
１３  多孔ローラ
１４  湿し用溶液源
１５  湿し用溶液
１６  可変速度動力機構
１７  空気源
１８  振動装置
２１  孔
５１  チューブ
５２  空気チューブ
５３  空気孔
５６  空気供給孔
６１  カム
６２  ばねプランジャ
６４  ばね
【図１】
0004767437.tif 000002
【図２】
0004767437.tif 000003
【図３】
0004767437.tif 000004